(57)【特許請求の範囲】
【請求項１】
両端に高圧側及び低圧側端子を植設した台座と、巻線用の台座側巻筒と、台座側蓋と、リード線用の引き出し溝と、係合溝とを具備する台座側ボビンに、上蓋と、仕切り板を兼ねる巻線用の上蓋側巻筒と、縁端に係止爪を設けた下蓋を具備する上蓋側ボビンを、前記上蓋側巻筒を台座側巻筒に挿入し、前記係合溝と係止爪を係止して組み合わせ、一対の磁足と中央磁足を有する上下２分割した磁気コアを組み込んでなるトランスにおいて、前記台座の底面の高圧端子側に巻線の巻始め案内用の突起を３個と巻線の巻き終わり案内用の突起を２個設け、巻線の巻始め案内用突起は、そのうちの１個を高圧端子植設部近傍に、１個を略円錐台状の突起として引き出し溝の台座側巻筒側の近傍に、残りの１個を他の２個の突起を結ぶ線より引き出し溝の反対側の位置に取り付け、巻線の巻終わり案内用の突起は、そのうちの１個を高圧端子植設部近傍に、残りの１個を高圧端子植設部と引き出し溝の台座側巻筒側の角との中間部より高圧端子植設部側の位置に取り付けたことを特徴とするトランス。
【発明の詳細な説明】
【０００１】
【産業上の利用分野】
本発明は、陰極管等を点灯する電源装置に使用される高圧用トランスに関するものである。
【０００２】
【従来の技術】
従来の高圧トランスに使用されるコインボビンは、図２（ａ）に示すように、上蓋側ボビン１と、台座側ボビン２の２つの部品から構成されている。上蓋側ボビン１は、上蓋８と下蓋９とを有し、磁気コア７ｄの中央磁足６ｂを挿入する貫通孔１０ｂが設けられ、上蓋側巻筒５が一体に形成されている。また、上蓋側巻筒５の外側には、仕切り板１４［図１（ｃ）参照］と、下蓋９が一体に形成されており、一次側となる上蓋側の巻枠１６［図１（ｃ）参照］を形成している。さらに、下蓋９の縁端には、係止爪２Ａ、２Ｂが一体に設置されている。前記台座側ボビン２の中央線ＹＹに対して対称となる位置の上蓋側ボビン１の縁端に前記係止爪２Ａ，２Ｂに対向して係合溝４ｃ，４ｄを設けることで、前記台座側ボビン２に、前記上蓋側ボビン１の下蓋９の前記係止爪２Ａ，２Ｂを各々の前記係合溝４ｃ，４ｄに係止することを可能としている。一方、前記台座側ボビン２の台座７には、両端に長手方向に平行に二次側の高圧側端子１３ａと一次側の低圧側端子１３ｂを植設し、中央に２分割の下側磁気コアの中央磁足６ａを組み込む台座側蓋１０の台座貫通孔１０ａを設けている。また、台座側巻筒６と、リード線の引き出し溝１１を設けてある構造である。
【０００３】
図２（ｂ）に示すように、前記台座の底面には、２つの対の突起▲１▼２０、突起▲２▼２１、突起▲３▼２２、突起▲４▼２３を設ける。まず、巻線を前記高圧側端子１３ａにからげ、巻線の巻き始めの前記端子近傍の突起▲１▼２０で巻線を案内し、次に、その端子側から、台座側巻筒よりの、前記引き出し溝１１の内側縁端に位置する突起▲２▼２１で巻線を案内し、台座側巻筒６に巻き回し、又、巻線の巻き終りを前記引き出し溝１１から取り出して、巻き終りを前記引き出し溝１１の内側縁端に位置する突起▲３▼２２で案内し、前記高圧端子近傍の突起▲４▼２３にガイドして、前記高圧側端子１３ａにからげるものである。
【０００４】
また、図２（ａ）に示すように、前記コイルボビンに組み込まれる磁気コアは、厚さ方向に上下２分割された板状フェライトコアからなる。下側磁気コア７ｃの長手方向の一端の２つの角に磁足５ｃ，５ｄを設け、対向する他端の中央に中央磁足６ａを有す。同様に、上側磁気コア７ｄも下側磁気コア７ｃの前記磁足５ｃ，５ｄ及び中央磁足６ａに対向するように、上側の磁足５Ｃ、５Ｄ及び中央磁足６ｂを有する。
【０００５】
【発明が解決しようとする課題】
前記台座の底面に２つの対の突起を４個設けたが、前記巻線の巻き始めを前記引き出し溝と連続した台座側巻筒の内側に巻く時、巻線通路が隘路となり、巻線が通しにくくなるため、突起▲２▼２１及び突起▲３▼２２をこれ以上、台座側巻筒側に寄せられず、また、現状でも巻線通路が狭く、台座側巻筒の内側に密着して巻かれない欠点があった。また、巻線の巻き始めと巻き終りとに、使用条件により、数百〜数千Ｖの電位差があるので、前記引き出し溝から取り出される巻線の巻き始めと巻終りとの線間距離Ａが小さいと、耐圧不良が発生する欠点があった。
【０００６】
本発明は、台座側巻筒の内側に密着した巻線が巻かれ、かつ巻線の巻き始めと巻き終りの線間距離を十分とり、耐圧不良をなくすことができるトランスを提供することを目的とする。
【０００７】
【課題を解決するための手段】
本発明によれば、両端に高圧側及び低圧側端子を植設した台座と、巻線用の台座側巻筒と、台座側蓋と、リード線用の引き出し溝と、係合溝とを具備する台座側ボビンに、上蓋と、仕切り板を兼ねる巻線用の上蓋側巻筒と、縁端に係止爪を設けた下蓋を具備する上蓋側ボビンを、前記上蓋側巻筒を台座側巻筒に挿入し、前記係合溝と係止爪を係止して組み合わせ、一対の磁足と中央磁足を有する上下２分割した磁気コアを組み込んでなるトランスにおいて、前記台座の底面の高圧端子側に巻線の巻始め案内用の突起を３個と巻線の巻き終わり案内用の突起を２個設け、巻線の巻始め案内用突起は、そのうちの１個を高圧端子植設部近傍に、１個を略円錐台状の突起として引き出し溝の台座側巻筒側の近傍に、残りの１個を他の２個の突起を結ぶ線より引き出し溝の反対側の位置に取り付け、巻線の巻終わり案内用の突起は、そのうちの１個を高圧端子植設部近傍に、残りの１個を高圧端子植設部と引き出し溝の台座側巻筒側の角との中間部より高圧端子植設部側の位置に取り付けたことを特徴とするトランスが得られる。
【０００８】
【作用】
本発明のトランスは、高圧トランス用コイルボビンの台座の底面に、台座側巻筒の内側に密着して巻線を巻き回すため、また、巻線の巻き始めと巻き終りとの線間距離を大きくするため、巻線をガイドする巻き始めの突起▲１▼はそのままの位置にし、突起▲５▼を長手方向平行に所定の位置に新設する。次に、突起▲２▼は形状を変え、略円錐台の形にした突起▲６▼とし、従来の突起▲２▼の位置に設ける。巻線が巻筒に密着するために、突起▲６▼の形状を略円錐台とし、巻線が台座側巻筒よりの略円錐台の根元の隘路を通るようにする。さらに、巻線の巻き終りを台座側巻筒より引き出し溝に導き出し、突起▲２▼の巻き始めと巻き終わりとの線間距離を大きくするため、引き出し溝１１ａを広げる。前記位置から引き出し溝縁端より、突起▲７▼を突起▲４▼よりの所定位置に移動し、突起▲４▼はそのままの位置にする。上述の内容のように、台座側巻筒を巻き回す巻線の巻き始めと巻き終わりの線間距離Ｂを大きくすることにより、耐圧不良を防止できる。
【０００９】
【実施例】
本発明の実施例について、図面を参照して説明する。図１は、本発明のトランスを示す図である。図１は、本発明のトランスの分解斜視図である。図１（ｂ）は、本発明のトランスに使用されるコイルボビンに巻線を巻いた状態を示す底面図である。図１（ｃ）は、本発明及び従来のトランスに使用されるコイルボビンの断面図である。図１（ｄ）は、本発明のトランスに使用されるコイルボビンの突起を示す斜視図である。
【００１０】
本発明の一実施例のトランスに用いる磁気コアは、図１（ａ）に示すように、断面形状が略六角形の、上下厚さ方向に２分割された板状フェライトコアからなる。磁気コアは、上下コアを合せて用いられる。２分割された板状の下側磁気コア７ｃは、２箇所の直角となっている角に、右磁足５ｃ、左磁足５ｄを有する。さらに、前記右磁足５ｃと前記左磁足５ｄとを有する対向辺の中央の位置に中央磁足６ａを有する。
【００１１】
下側磁気コア７ａと同様に、上側磁気コア７ｄも板状の略六角形の一端に右磁足５Ｃ、左磁足５Ｄを有し、同様に、右及び左磁足５Ｃ，５Ｄとを有する対向辺の中央に中央磁足６ｂを有する。
【００１２】
また、本発明のトランスに用いられるコイルボビンは、図１に示すように、上蓋側ボビン３と、台座側ボビン４の２つの部品から構成される。
【００１３】
上蓋側ボビン３は、上蓋８と下蓋９とを有し、また、２分割された上側磁気コア７ｄの中央磁足６ｂを挿入する上蓋側貫通孔１０ｂを有する。その外周には、ほぼ等しい大きさの一次巻線１３を巻くための上蓋側巻筒５が、コイルボビン１３と同質の絶縁物により一体に形成されている。
【００１４】
また、前記上蓋側巻筒５には、一次巻線１３と二次巻線１８とを電気的に絶縁する仕切り板１４［図１（ｃ）参照］と、その先端から外周に向けて、上蓋８と平行に下蓋９が一体に形成されており、一次巻線側の巻枠１６［図１（ｃ）参照］を形成している。
【００１５】
さらに、下蓋９の縁端には、２個の係止爪２Ａ，２Ｂが一体に設置されている。
【００１６】
この係止爪２Ａ，２Ｂには、台座側ボビン４の中央線ＹＹに対して、左右対称となる位置の縁端に、２個の係合溝４ｃ，４ｄが設けられている。この係合溝４ｃ，４ｄに、前記係止爪２Ａ，２Ｂを係止することで、前記台座側ボビン４との係止・嵌着を可能にしている。
【００１７】
一方、前記台座側ボビン４の台座７には、二次側の高圧側端子１３ａと一次側の低圧側端子１３ｂが設けられている。また、中央に、磁気コアの２分割した下側磁気コア７ｃの中央磁足６ａを組み込む台座側蓋１０の台座側貫通孔１０ａが設けられている。
【００１８】
また、外周に二次巻線１８を巻回する台座側巻筒６と、高圧側端子１３ａの方向から前記台座側巻筒６にかけて設けられたリード線引き出し溝１１ａを有する。前記引き出し溝１１ａは、溝幅を大きくしてある。
【００１９】
台座７の底面に巻線をガイドする巻き始めの突起▲１▼２０は、位置を従来位置とし、突起▲５▼２４を新設する。前記突起▲５▼２４は、従来の引き出し溝１１［図２（ｂ）参照］の長手方向平行に突起▲１▼２０と突起▲２▼２１とを結ぶ直線が直行する位置に新設してある。次に、突起▲６▼２５は、従来の突起▲２▼２１の位置に形状を変えて、図１（ｄ）に示すような略円錐台に形成されている。巻線の巻き始めが突起▲６▼２５の斜面の底面近傍に配されるので、台座側巻筒に折り返し、すぐ密着するように巻線が巻かれる。このため、巻線がゆるみ、ばらけることはない。さらに、台座側巻筒６を、所定回数巻き回した後の巻線の巻き終りは、引き出し溝１１ａに導き出される。巻き終りが巻き始めの前記突起▲６▼２５と突起▲７▼２６との距離を大きくし、巻線の巻き始めと巻き終わりとの線間距離Ｂを大きくするため、前記引き出し溝１１ａを広げる。突起▲７▼２６は、引き出し溝１１ａ縁端から従来の突起▲３▼２２の位置より移動し、突起▲４▼２３よりに所定の位置に移す。突起▲４▼２３は、そのままの位置に固定する。
【００２０】
台座側ボビン４の前記中央線ＹＹに対して左右対称となる前記係止爪２Ａ，２Ｂを、下側磁気コア７ｃの左右対称位置にある前記係合溝４ｃ，４ｄに係止して組み合わせ、その上下に２分割された磁気コアを装着し、トランスが完成する。
【００２１】
【発明の効果】
以上、述べたように、本発明によれば、台座側巻筒の内側に密着して巻線が巻かれ、かつ巻線の巻き始めと巻き終りとの線間距離が十分とられ、耐圧不良が少なくなるトランスを提供することが可能となった。
【図面の簡単な説明】
【図１】本発明のトランスを示す図。図１（ａ）は本発明のトランスの分解斜視図。図１（ｂ）は本発明のトランスに使用されるコイルボビンの底面図。図１（ｃ）は本発明の及び従来のトランスに使用されるコイルボビンの断面図。図１（ｄ）は本発明のトランスに使用されるコイルボビンの突起を示す斜視図。
【図２】従来のトランスを示す図。図２（ａ）は従来のトランスの分解斜視図。図２（ｂ）は従来のトランスに使用されるコイルボビンの底面図。
【符号の説明】
１    （従来）上蓋側ボビン
２    （従来）台座側ボビン
２Ａ，２Ｂ    係止爪
３    上蓋側ボビン
４        台座側ボビン
４ｃ，４ｄ        係合溝
５            上蓋側巻筒
５Ｃ，５ｃ    （右）磁足
５Ｄ，５ｄ        （左）磁足
６    台座側巻筒
６ａ        （下側磁気コアの）中央磁足
６ｂ        （上側磁気コアの）中央磁足
７        台座
７ｃ        下側磁気コア
７ｄ        上側磁気コア
８        上蓋
９        下蓋
１０        台座側蓋
１０ａ        台座側貫通孔
１０ｂ        上蓋側貫通孔
１１，１１ａ        引き出し溝
１２        テープ
１３        一次巻線
１３ａ        高圧側端子
１３ｂ        低圧側端子
１４        仕切り板
１５        内側巻筒
１６        巻枠
１７        外側巻筒
１８        二次巻線
２０        突起▲１▼
２１        突起▲２▼
２２        突起▲３▼
２３    突起▲４▼
２４    突起▲５▼
２５    突起▲６▼
２６    突起▲７▼
Ａ，Ｂ        線間距離
【図１】
0003582864.tif 000002
【図２】
0003582864.tif 000003